(57)【要約】【課題】開放したカバー上に原稿の一部を載置することができるようにすることによって、装置をはみ出してしまうような大きな原稿であっても、オペレータが手で原稿を支える必要がなく、簡単に原稿の画像を読み取らせる操作を行うことができるようにする。【解決手段】原稿を載置する原稿載置台と、該原稿載置台上を開閉するカバーとを有し、前記原稿載置台上に載置される原稿の画像を読み取る画像読み取り装置１０であって、前記カバーは、開放状態において、前記原稿載置台上に載置される原稿の少なくとも一部分を載置することができる。【選択図】図１
2006078516.tif 000002
【特許請求の範囲】
【請求項１】
（ａ）原稿を載置する原稿載置台と、
（ｂ）該原稿載置台上を開閉するカバーとを有し、
（ｃ）前記原稿載置台上に載置される原稿の画像を読み取る画像読み取り装置であって、
（ｄ）前記カバーは、開放状態において、前記原稿載置台上に載置される原稿の少なくとも一部分を載置することができることを特徴とする画像読み取り装置。
【請求項２】
前記カバーは、略水平状態となるように開放可能であり、かつ、略水平状態に支持する支持部を備える請求項１に記載の画像読み取り装置。
【請求項３】
前記支持部は前記カバーに収納可能に配設される請求項２に記載の画像読み取り装置。
【請求項４】
前記支持部は前記原稿載置台の側部に当接する請求項２又は３に記載の画像読み取り装置。
【請求項５】
（ａ）前記カバーは回動支点を備え、
（ｂ）前記原稿載置台は前記回動支点を支持するとともに案内可能な案内部を備え、
（ｃ）前記カバーは前記原稿載置台に対して複数方向に開放可能である請求項１〜４のいずれか１項に記載の画像読み取り装置。
【請求項６】
前記原稿載置台の側部に突出状態と収納状態とを切り替え可能に配設された、原稿を載置可能な原稿補助台を有する請求項１〜５のいずれか１項に記載の画像読み取り装置。
【請求項７】
前記カバーは前記原稿載置台と略同一平面を形成可能な請求項１〜６のいずれか１項に記載の画像読み取り装置。
【発明の詳細な説明】
【技術分野】
【０００１】
本発明は、画像読み取り装置に関するものである。
【背景技術】
【０００２】
従来、複写装置、ファクシミリ装置等は、カット紙等のシート状の原稿又は本等の冊子状の原稿の画像を読み取るための画像読み取り装置を備え、該画像読み取り装置は移動可能に配設された読み取りセンサ、原稿を載置するためのガラス板、及び、該ガラス板上に載置された原稿を押さえるためのカバーを備える。前記読み取りセンサは、原稿を走査しながら、照明装置から照射されて原稿の表面で反射された光をガラス板を通して検出する。そして、該ガラス板を支持するためのガラス板支持部が配設され、該ガラス板支持部の一辺に沿って配設されたヒンジ機構によって、前記カバーが揺動自在に支持される（例えば、特許文献１参照。）。
【特許文献１】特開２０００−２６１６２４号公報
【発明の開示】
【発明が解決しようとする課題】
【０００３】
しかしながら、前記従来の画像読み取り装置においては、原稿である本や冊子等の見開きの片側のページのみを読み取りたい場合や、見開きの両方のページを読み取りたいが、ガラス板サイズが片側のページサイズしかない場合は、前記原稿が装置をはみ出してしまうため、オペレータは原稿が落下しないように保持する必要があった。このような場合、装置から飛び出した原稿を支えながら読み取り動作を行わなければならず、作業中に原稿がずれてしまうおそれがある。
【０００４】
また、前記従来の画像読み取り装置がコンピュータ等に接続されて画像を読み取る場合には、オペレータはコンピュータの操作を行う必要があり、手で原稿を押さえることができなかった。
【０００５】
本発明は、前記従来の画像読み取り装置の問題点を解決して、開放したカバー上に原稿の一部を載置することができるようにすることによって、装置をはみ出してしまうような大きな原稿であっても、オペレータが手で原稿を支える必要がなく、簡単に原稿の画像を読み取らせる操作を行うことができる画像読み取り装置を提供することを目的とする。
【課題を解決するための手段】
【０００６】
そのために、本発明の画像読み取り装置においては、原稿を載置する原稿載置台と、該原稿載置台上を開閉するカバーとを有し、前記原稿載置台上に載置される原稿の画像を読み取る画像読み取り装置であって、前記カバーは、開放状態において、前記原稿載置台上に載置される原稿の少なくとも一部分を載置することができる。
【発明の効果】
【０００７】
本発明によれば、画像読み取り装置は、開放したカバー上に原稿の一部を載置することができるようになっている。そのため、装置をはみ出してしまうような大きな原稿であっても、オペレータが手で原稿を支える必要がなく、簡単に原稿の画像を読み取らせる操作を行うことができる。
【発明を実施するための最良の形態】
【０００８】
以下、本発明の実施の形態について図面を参照しながら詳細に説明する。
【０００９】
図１は本発明の第１の実施の形態における画像読み取り装置の第１の例を示す第１の斜視図、図２は本発明の第１の実施の形態における画像読み取り装置の第１の例を示す第２の斜視図である。
【００１０】
図１及び２において、１０は本実施の形態における画像読み取り装置であり、原稿載置台としての画像読み取り装置本体１１及びカバーとしてのガラス板支持部カバー１３を有する。前記画像読み取り装置本体１１は、図示されないＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の読み取りセンサ、センサ駆動部、レンズ、ミラー等の光学装置、蛍光灯等の照明装置、画像処理部等のセンサモジュールを備え、原稿の表面を走査して原稿のイメージ、すなわち、画像を読み取るようになっている。また、前記画像読み取り装置本体１１は、ガラス板１２ａを支持するガラス板支持部１２を備え、前記読み取りセンサは、前記ガラス板支持部１２上に載置された原稿の画像を読み取るようになっている。この場合、前記読み取りセンサは、センサ駆動部によって図１及び２における左右方向に一定速度で移動させられ、前記原稿を走査しながら、照明装置から照射されて原稿の表面で反射された光をガラス板１２ａを通して検出する。
【００１１】
そして、前記ガラス板支持部１２の一辺に沿って回動支点としてのヒンジ部１５が配設され、ガラス板支持部カバー１３が前記ヒンジ部１５を介して回動可能に前記ガラス板支持部１２に取り付けられている。これにより、前記ガラス板支持部カバー１３は、前記ガラス板支持部１２に対して開閉可能になっている。図１は、ガラス板支持部カバー１３を開放した状態を示している。通常の原稿、すなわち、大きさが前記ガラス板支持部１２の大きさよりも小さい原稿の画像を読み取る場合、オペレータは、前記ガラス板支持部カバー１３を図１に示されるような位置にまで回動させ、ガラス板支持部１２を開放して該ガラス板支持部１２上に原稿を載置した後、前記ガラス板支持部カバー１３を反対方向に回動させて閉止した状態にする。これにより、ガラス板支持部カバー１３は、後ろからガラス板支持部１２上に載置された原稿を覆うようにして、ガラス板支持部１２の上面を閉止する。
【００１２】
なお、前記ヒンジ部１５は、後述される開放可能なロック機構を備え、通常では、ガラス板支持部カバー１３がガラス板支持部１２に対して９０度以上の角度に開くことを防止している。しかし、冊子等の原稿の見開きページのように、大きさが前記ガラス板支持部１２の大きさよりも大きい原稿の画像を読み取る場合、前記ヒンジ部１５のロック機構を開放することによって、ガラス板支持部カバー１３がガラス板支持部１２に対して９０度以上の角度に開くことができ、図２に示されるように、ガラス板支持部カバー１３とガラス板支持部１２とが略同一平面を形成することができるようになっている。
【００１３】
ここで、ガラス板支持部カバー１３の背面、すなわち、ガラス板支持部１２と対向する面の反対側の面には、支持部としてのガラス板支持部カバー支え部１４が、図示されない蝶番（ちょうつがい）等によって、回動可能に取り付けられている。なお、前記ガラス板支持部カバー支え部１４は、図１及び２に示されるように、不使用状態と使用状態とに固定可能となるロック式のものを使用することがより好ましいが、回動可能であれば、どのように取り付けられていてもよい。そして、前記ガラス板支持部カバー支え部１４は、不使用時には、図１に示されるように、ガラス板支持部カバー１３に平行となるように折り畳まれた状態となり、使用時には、図２に示されるように、図示されない回動支点を中心にガラス板支持部カバー１３に対して垂直に展開し、画像読み取り装置１０が載置されている後述される載置台１７等の上面に当接して、前記ガラス板支持部カバー１３を支えるようになっている。前記ガラス板支持部カバー支え部１４の大きさ、厚さや面積、材質、取り付け位置等は適宜変更可能であり、ガラス板支持部カバー１３を支持可能な強度が得られれば形状や設置位置、材質等はどのようなものであってもよい。
【００１４】
次に、本実施の形態におけるヒンジ部１５のロック機構の構成について説明する。
【００１５】
図３は本発明の第１の実施の形態におけるヒンジ部のロック機構の構成を示す第１の図、図４は本発明の第１の実施の形態におけるヒンジ部のロック機構の構成を示す第２の図、図５は本発明の第１の実施の形態におけるヒンジ部のロック機構におけるカムの位置関係を示す図である。
【００１６】
ガラス板支持部カバー１３が、図３（ａ）に示されるように、ガラス板支持部１２の上面を閉止する状態から、該ガラス板支持部１２に対して９０度の角度になるまでの範囲にあるとき、ヒンジ部１５のロック機構は、図３（ｂ）に示されるような状態になっている。前記ヒンジ部１５は、横断面が略Ｄ字形状のヒンジシャフト１５ａを備え、該ヒンジシャフト１５ａは、画像読み取り装置本体１１に形成され、横断面が略Ｄ字形状の貫通孔（こう）を備えるヒンジ軸受け部１５ｃに回転不能に、かつ、軸方向に移動可能に挿入されている。また、前記ヒンジシャフト１５ａには、ガラス板支持部１２に形成され、横断面が円形の貫通孔を備えるガラス板軸受け部１３ａに回転可能に、かつ、軸方向に移動可能に挿入されている。これにより、ガラス板支持部１２は、画像読み取り装置本体１１に対して、ヒンジシャフト１５ａを中心にして回転することができる。
【００１７】
なお、前記ガラス板軸受け部１３ａにカバーカム部１３ｂが一体的に形成されている。そして、前記ヒンジシャフト１５ａの内側端には、前記カバーカム部１３ｂと係合可能なヒンジロック用カム部１５ｄが取り付けられている。前記カバーカム部１３ｂとヒンジロック用カム部１５ｄとは、ガラス板支持部カバー１３が、ガラス板支持部１２の上面を閉止する状態から該ガラス板支持部１２に対して９０度の角度になるまでの範囲では係合しないが、ガラス板支持部カバー１３がガラス板支持部１２に対して９０度の角度になると相互に係合する。これにより、ガラス板支持部カバー１３がガラス板支持部１２に対して９０度以上の角度になることを防止するようになっている。
【００１８】
また、前記ヒンジシャフト１５ａの外側端にはヒンジロック解除ボタン１５ｅが取り付けられ、該ヒンジロック解除ボタン１５ｅとヒンジ軸受け部１５ｃとの間にコイルスプリングから成るヒンジロックスプリング１５ｂが圧縮力を受けた状態で挿入されている。これにより、前記ヒンジシャフト１５ａは、ヒンジロックスプリング１５ｂによって外側方向へ付勢されている。
【００１９】
そして、ガラス板支持部カバー１３をガラス板支持部１２に対して９０度以上の角度にする場合には、図４（ｂ）において矢印で示される方向の力をヒンジロック解除ボタン１５ｅに付与するようになっている。前記力がヒンジロックスプリング１５ｂの付勢力に打ち勝つと、ヒンジシャフト１５ａが内側に向けて軸方向に移動し、ヒンジロック用カム部１５ｄがガラス板軸受け部１３ａから離間してカバーカム部１３ｂと係合不能となる。これにより、図４（ａ）に示されるように、ガラス板支持部カバー１３とガラス板支持部１２とが同一平面を形成することができる。
【００２０】
ここで、ガラス板支持部カバー１３とガラス板支持部１２との角度と、カバーカム部１３ｂとヒンジロック用カム部１５ｄとの係合関係とを関連付けて説明すると、図５に示されるようになる。図５（ｃ）に示されるように、ガラス板支持部カバー１３がガラス板支持部１２の上面を閉止する状態、すなわち、ガラス板支持部カバー１３とガラス板支持部１２との角度が０度であるとき、カバーカム部１３ｂがヒンジロック用カム部１５ｄに対して９０度回転した位置にあるので、カバーカム部１３ｂとヒンジロック用カム部１５ｄとは係合しない。すなわち、カムとガラス板支持部カバー１３とはフリー状態である。なお、該フリー状態は、ガラス板支持部カバー１３とガラス板支持部１２との角度が０〜９０度の範囲で維持される。
【００２１】
そして、ガラス板支持部カバー１３を、ヒンジ部１５を中心にしてガラス板支持部１２に対して回転させ、図５（ｂ）に示されるように、ガラス板支持部カバー１３とガラス板支持部１２との角度が９０度になると、カバーカム部１３ｂとヒンジロック用カム部１５ｄとが相互に係合する。すなわち、カムがロックし、ガラス板支持部カバー１３は９０度開いて止まる。この状態で、オペレータがヒンジロック解除ボタン１５ｅを押して、図４（ｂ）において矢印で示される方向の力をヒンジロック解除ボタン１５ｅに付与すると、ヒンジシャフト１５ａが内側に向けて軸方向に移動し、ヒンジロック用カム部１５ｄがガラス板軸受け部１３ａから離間してカバーカム部１３ｂと係合が外れる。すなわち、カムのロックが解除される。
【００２２】
すると、ガラス板支持部カバー１３を、ヒンジ部１５を中心にしてガラス板支持部１２に対して更に回転させ、図５（ｃ）に示されるように、ガラス板支持部カバー１３とガラス板支持部１２との角度を１８０度にすることができる。すなわち、カムのロック解除によって、ガラス板支持部カバー１３は１８０度まで開く。このとき、カバーカム部１３ｂがヒンジロック用カム部１５ｄに対して９０度回転した位置にある。なお、ガラス板支持部カバー１３を反対方向に回転させて、図５（ｃ）に示されるように、ガラス板支持部カバー１３がガラス板支持部１２の上面を閉止する状態にする際には、カバーカム部１３ｂ及びヒンジロック用カム部１５ｄの反対側の面が傾斜しているので相互に係合しないようになっている。そのため、オペレータは、ガラス板支持部カバー１３を回転させるだけでよく、ヒンジロック解除ボタン１５ｅを押す必要がない。すなわち、閉じる際には、ロック解除は不要である。
【００２３】
このように、本実施の形態におけるヒンジ部１５のロック機構においては、ヒンジロック解除ボタン１５ｅを押すことによって、ヒンジロック用カム部１５ｄとカバーカム部１３ｂとの係合が外れ、ガラス板支持部カバー１３を、通常における９０度の範囲でなく、１８０度の範囲で開閉させることができる。また、ガラス板支持部カバー１３を開く際にはヒンジロック解除ボタン１５ｅを押す必要があるが、ガラス板支持部カバー１３を閉じる際にはヒンジロック解除ボタン１５ｅを押す必要がないので操作性が良好である。
【００２４】
次に、本実施の形態における画像読み取り装置１０の第１の変形例を説明する。
【００２５】
図６は本発明の第１の実施の形態における画像読み取り装置の第２の例を示す第１の斜視図、図７は本発明の第１の実施の形態における画像読み取り装置の第２の例を示す第２の斜視図、図８は本発明の第１の実施の形態における画像読み取り装置の第２の例を示す側面図である。
【００２６】
図６〜８に示される例においては、前記ガラス板支持部カバー支え部１４の大きさが図１及び２に示される例と相違している。前記ガラス板支持部カバー支え部１４の長さは、図１及び２に示される例よりも長く、ガラス板支持部カバー１３の横方向（ヒンジ部１５の回動軸方向に直交する方向の寸法）の幅寸法に近い長さとなっている。さらに、画像読み取り装置本体１１におけるヒンジ部１５が取り付けられている側部の下辺部に、前記ガラス板支持部カバー支え部１４を支持する受け部１４ａが取り付けられている。なお、図６は、図１と同様に、ガラス板支持部カバー１３を開放した状態を示し、図７は、図２と同様に、ガラス板支持部カバー１３とガラス板支持部１２とが同一平面を形成する状態を示し、図８は、図７に示される状態の画像読み取り装置１０の側面を示している。
【００２７】
そして、冊子等の原稿の見開きページのように、大きさが前記ガラス板支持部１２の大きさよりも大きい原稿の画像を読み取る場合、前記ヒンジ部１５のロック機構を開放して、ガラス板支持部カバー１３をガラス板支持部１２に対して１８０度の角度に開き、ガラス板支持部カバー１３とガラス板支持部１２とが略同一平面を形成する。この場合、ガラス板支持部カバー支え部１４をガラス板支持部カバー１３に対して垂直に展開すると、図７及び８に示されるように、ガラス板支持部カバー支え部１４が受け部１４ａによって支持されるようになっている。そのため、画像読み取り装置１０が載置台１７の端部に配設された場合であっても、ガラス板支持部カバー１３は、ガラス板支持部カバー支え部１４及び受け部１４ａによって下方から支えられるので、水平を維持することができ、原稿をガラス板支持部カバー１３上に載置することができる。
【００２８】
次に、本実施の形態における画像読み取り装置１０の第２の変形例を説明する。
【００２９】
図９は本発明の第１の実施の形態における画像読み取り装置の第３の例を示す斜視図である。
【００３０】
図９に示される例においては、ガラス板支持部カバー１３に収納凹部１４ｂが形成され、ガラス板支持部カバー支え部１４の不使用時には、該ガラス板支持部カバー支え部１４が前記収納凹部１４ｂに収納されるようになっている。なお、ガラス板支持部カバー支え部１４は、蝶番１４ｃによって、ガラス板支持部カバー１３に対して回転可能に取り付けられている。また、前記収納凹部１４ｂの深さは、収納されたガラス板支持部カバー支え部１４の背面とガラス板支持部カバー１３とが略同一平面となる程度の寸法になっている。そのため、ガラス板支持部カバー支え部１４の不使用時には、ガラス板支持部カバー１３の背面は、突出物のない平面となり、画像読み取り装置１０の取り扱いが容易になる。
【００３１】
次に、本実施の形態における画像読み取り装置１０の第３の変形例を説明する。
【００３２】
図１０は本発明の第１の実施の形態における画像読み取り装置の第４の例を示す側面図である。
【００３３】
図１０に示される例においては、前記ガラス板支持部カバー支え部１４の取り付けられる位置が図１及び２に示される例と相違している。この場合、ガラス板支持部カバー支え部１４は、ガラス板支持部カバー１３においてヒンジ部１５が取り付けられている辺に近接した位置に取り付けられている。そして、前記ヒンジ部１５のロック機構を開放して、ガラス板支持部カバー１３をガラス板支持部１２に対して１８０度の角度に開き、ガラス板支持部カバー１３とガラス板支持部１２とが略同一平面を形成するようにしたときに、ガラス板支持部カバー支え部１４をガラス板支持部カバー１３に対して垂直に展開すると、図１０に示されるように、ガラス板支持部カバー支え部１４の短辺が画像読み取り装置本体１１の側部に当接して支持されるようになっている。そのため、画像読み取り装置１０が載置台１７の端部に配設された場合であっても、ガラス板支持部カバー１３は、ガラス板支持部カバー支え部１４が画像読み取り装置本体１１の側部に当接することによって下方から支えられるので、水平を維持することができ、原稿をガラス板支持部カバー１３上に載置することができる。
【００３４】
次に、前記構成の画像読み取り装置１０の動作について説明する。
【００３５】
図１１は本発明の第１の実施の形態における画像読み取り装置のガラス板支持部に冊子状の原稿を載置した状態を示す図である。
【００３６】
画像読み取り装置１０によって冊子状の原稿１８、例えば、本の所定のページの画像を読み取る場合、オペレータは、前記原稿１８を見開きの状態とし、前記ページを下向きにしてガラス板支持部１２のガラス板１２ａ上に載置する。ここで、見開きの状態の原稿１８のサイズが前記ガラス板支持部１２のサイズよりも大きい場合、オペレータは、図１１に示されるように、ガラス板支持部カバー１３を１８０度まで開き、ガラス板支持部カバー１３とガラス板支持部１２とが略同一平面を形成するようにして、ガラス板支持部カバー１３の上に見開きの状態の原稿１８の一部を載置する。
【００３７】
この場合、オペレータは、ヒンジ部１５のヒンジロック解除ボタン１５ｅを押して、ヒンジロック用カム部１５ｄとカバーカム部１３ｂとの係合を外し、カムのロックを解除する。これにより、ガラス板支持部カバー１３は１８０度まで開き、該ガラス板支持部カバー１３とガラス板支持部１２とが略同一平面を形成するようになる。また、オペレータは、ガラス板支持部カバー支え部１４をガラス板支持部カバー１３に対して垂直に展開する。これにより、ガラス板支持部カバー１３は、ガラス板支持部カバー支え部１４によって下方から支えられるので、水平を維持することができ、原稿１８の一部をガラス板支持部カバー１３上に載置することができる。そして、前記原稿１８の重量は、ガラス板支持部カバー支え部１４によって支持される。
【００３８】
このように、本実施の形態においては、ヒンジ部１５におけるカムのロックを解除することによって、ガラス板支持部カバー１３を１８０度まで開き、該ガラス板支持部カバー１３とガラス板支持部１２とが略同一平面を形成することができ、かつ、ガラス板支持部カバー１３をガラス板支持部カバー支え部１４によって下方から支えて水平を維持することができるようになっている。そのため、本のようにサイズの大きな原稿１８でも、無理なくガラス板支持部１２上に載置することができ、オペレータは、手で原稿１８を支える必要がなく、簡単に原稿１８の画像を読み取らせる操作を行うことができる。
【００３９】
また、ガラス板支持部カバー支え部１４を受け部１４ａ又は画像読み取り装置本体１１の側部によって下方から支えるようにすることによって、画像読み取り装置１０の設置スペースが狭く、画像読み取り装置１０が載置台１７の端部に配設された場合であっても、ガラス板支持部カバー１３の水平を維持することができる。そのため、ガラス板支持部カバー１３を原稿１８を載置する補助台として使用することができ、ガラス板支持部カバー１３上に原稿１８を載置することができる。
【００４０】
次に、本発明の第２の実施の形態について説明する。なお、第１の実施の形態と同じ構造を有するものについては、同じ符号を付与することによってその説明を省略する。また、前記第１の実施の形態と同じ動作及び効果についてもその説明を省略する。
【００４１】
図１２は本発明の第２の実施の形態における画像読み取り装置を示す斜視図である。
【００４２】
本実施の形態における画像読み取り装置１０は、図１２に示されるように、画像読み取り装置本体１１の両側部上端に形成された案内部としてのガラス板支持部カバー移動レール２２を有する。なお、該ガラス板支持部カバー移動レール２２は、ガラス板支持部１２の対向する短辺に沿って延在する。そして、ガラス板支持部カバー１３の両端に取り付けられたヒンジ部１５が前記ガラス板支持部カバー移動レール２２に移動可能に係合する。なお、前記ヒンジ部１５にはヒンジ部ロック２１が取り付けられ、該ヒンジ部ロック２１がロックしている状態にあるときはヒンジ部１５のガラス板支持部カバー移動レール２２に対する移動が禁止され、前記ヒンジ部ロック２１がロック解除の状態にあるときのみ、前記ヒンジ部１５はガラス板支持部カバー移動レール２２に沿って移動可能となる。
【００４３】
また、画像読み取り装置本体１１の側壁には、移動したガラス板支持部カバー１３を支えるためのガラス板支持部カバー支え部１４が取り付けられている。該ガラス板支持部カバー支え部１４は、図示されない蝶番等によって回動可能に取り付けられ、不使用時には、画像読み取り装置本体１１の側部に平行となるように折り畳まれた状態となり、使用時には、図１２に示されるように、図示されない回動支点を中心に画像読み取り装置本体１１の側部に対して垂直に展開し、前記ガラス板支持部カバー１３を支えるようになっている。なお、その他の点の構成については、前記第１の実施の形態と同様であるので、説明を省略する。
【００４４】
次に、本実施の形態における画像読み取り装置１０の動作について説明する。
【００４５】
図１３は本発明の第２の実施の形態における画像読み取り装置の動作を示す図、図１４は本発明の第２の実施の形態における画像読み取り装置のガラス板支持部に冊子状の原稿を載置した状態を示す図である。
【００４６】
画像読み取り装置１０によって冊子状の原稿１８、例えば、本の所定のページの画像を読み取る場合、オペレータは、前記原稿１８を見開きの状態とし、前記ページを下向きにしてガラス板支持部１２のガラス板１２ａ上に載置する。ここで、見開きの状態の原稿１８のサイズが前記ガラス板支持部１２のサイズよりも大きい場合、オペレータは、図１３に示されるように、ガラス板支持部カバー１３をガラス板支持部カバー支え部１４が取り付けられている画像読み取り装置本体１１の側壁にまで移動させる。そして、ガラス板支持部カバー１３とガラス板支持部１２とが略同一平面を形成するようにして、図１４に示されるように、ガラス板支持部カバー１３の上に見開きの状態の原稿１８の一部を載置する。
【００４７】
この場合、オペレータは、ヒンジ部１５のヒンジ部ロック２１を操作して、該ヒンジ部ロック２１をロック解除の状態にする。これにより、ヒンジ部１５がガラス板支持部カバー移動レール２２に沿って移動可能となるので、ガラス板支持部カバー１３をガラス板支持部カバー支え部１４が取り付けられている画像読み取り装置本体１１の側壁にまで移動させることができる。そして、前記ガラス板支持部カバー１３をヒンジ部１５を中心として閉じる方向に回転させ、ガラス板支持部カバー１３とガラス板支持部１２とが略同一平面を形成するようになる。また、オペレータは、ガラス板支持部カバー支え部１４をガラス板支持部カバー１３に対して垂直に展開する。これにより、該ガラス板支持部カバー１３は、ガラス板支持部カバー支え部１４によって下方から支えられるので、水平を維持することができ、図１４に示されるように、原稿１８の一部をガラス板支持部カバー１３上に載置することができる。そして、前記原稿１８の重量は、ガラス板支持部カバー支え部１４によって支持される。
【００４８】
このように、本実施の形態においては、ガラス板支持部カバー１３を移動させるガラス板支持部カバー移動レール２２が配設され、ガラス板支持部カバー１３を移動させた後に、該ガラス板支持部カバー１３とガラス板支持部１２とが同一平面を形成することができるようになっているので、原稿１８を無理に反転させなくても、該原稿１８の画像を読み取らせる操作を行うことができる。
【００４９】
次に、本発明の第３の実施の形態について説明する。なお、第１及び第２の実施の形態と同じ構造を有するものについては、同じ符号を付与することによって、その説明を省略する。また、前記第１及び第２の実施の形態と同じ動作及び効果についても、その説明を省略する。
【００５０】
図１５は本発明の第３の実施の形態における画像読み取り装置を示す斜視図である。
【００５１】
本実施の形態における画像読み取り装置１０は、図１５に示されるように、画像読み取り装置本体１１の側部に内蔵された原稿補助台としてのガラス板支持部補助トレイ３１を有する。そして、該ガラス板支持部補助トレイ３１は、突出状態及び収納状態に切り替え可能となっている。なお、図１５に示される例において、前記ガラス板支持部補助トレイ３１は収納状態になっている。その他の点の構成については、前記第１の実施の形態と同様であるので、説明を省略する。
【００５２】
次に、本実施の形態における画像読み取り装置１０の動作について説明する。
【００５３】
図１６は本発明の第３の実施の形態における画像読み取り装置の動作を示す図、図１７は本発明の第３の実施の形態における画像読み取り装置のガラス板支持部に冊子状の原稿を載置した状態を示す図である。
【００５４】
画像読み取り装置１０によって冊子状の原稿１８、例えば、本の所定のページの画像を読み取る場合、オペレータは、前記原稿１８を見開きの状態とし、前記ページを下向きにしてガラス板支持部１２のガラス板１２ａ上に載置する。ここで、見開きの状態の原稿１８のサイズが前記ガラス板支持部１２のサイズよりも大きい場合、オペレータは、図１６に示されるように、ガラス板支持部補助トレイ３１を引き出して突出状態とする。そして、該ガラス板支持部補助トレイ３１の上面とガラス板支持部１２とがほぼ同一平面を形成するようにして、図１７に示されるように、ガラス板支持部補助トレイ３１の上に見開きの状態の原稿１８の一部を載置する。
【００５５】
このように、本実施の形態においては、ガラス板支持部補助トレイ３１が画像読み取り装置本体１１に内蔵されている。そして、使用時にガラス板支持部補助トレイ３１を引き出して、上面がガラス板支持部１２とほぼ同一平面を形成するようにしたので、本のようにサイズが大きな原稿１８でも、無理なく載置することができ、オペレータは、手で原稿１８を支える必要がなく、簡単に原稿１８の画像を読み取らせる操作を行うことができる。また、ガラス板支持部カバー１３もそのまま使用することができる。
【００５６】
さらに、本実施の形態を前記第１の実施の形態と組み合わせることもできる。この場合、ガラス板支持部補助トレイ３１を、画像読み取り装置本体１１におけるヒンジ部１５と反対側の側部に内蔵することが望ましい。これにより、画像読み取り装置本体１１において、ガラス板支持部１３が１８０度開いて原稿１８を載置する面を形成する側と反対側にガラス板支持部補助トレイ３１を引き出して原稿１８を載置する面を形成することができるので、原稿１８のサイズがより大きな場合にも対応することができる。
【００５７】
次に、本発明の第４の実施の形態について説明する。なお、第１〜第３の実施の形態と同じ構造を有するものについては、同じ符号を付与することによって、その説明を省略する。また、前記第１〜第３の実施の形態と同じ動作及び効果についても、その説明を省略する。
【００５８】
図１８は本発明の第４の実施の形態における画像読み取り装置を示す斜視図である。
【００５９】
本実施の形態における画像読み取り装置１０は、図１８に示されるように、画像読み取り装置本体１１の側部に内蔵された原稿補助台としてのガラス板支持部補助トレイ３２を有する。そして、該ガラス板支持部補助トレイ３２は、突出状態及び収納状態に切り替え可能であり、さらに、長さを調節可能に拡張することができるようになっている。なお、図１８に示される例において、前記ガラス板支持部補助トレイ３２は収納状態になっている。その他の点の構成については、前記第１の実施の形態と同様であるので、説明を省略する。
【００６０】
次に、本実施の形態における画像読み取り装置１０の動作について説明する。
【００６１】
図１９は本発明の第４の実施の形態における画像読み取り装置の動作を示す図、図２０は本発明の第４の実施の形態における画像読み取り装置のガラス板支持部に冊子状の原稿を載置した状態を示す図である。
【００６２】
画像読み取り装置１０によって冊子状の原稿１８、例えば、本の所定のページの画像を読み取る場合、オペレータは、前記原稿１８を見開きの状態とし、前記ページを下向きにしてガラス板支持部１２のガラス板１２ａ上に載置する。ここで、見開きの状態の原稿１８のサイズが前記ガラス板支持部１２のサイズよりも大きい場合、オペレータは、図１９に示されるように、ガラス板支持部補助トレイ３２を引き出して拡張する。なお、引き出す長さは、原稿１８のサイズに合わせて調節することができる。そして、ガラス板支持部補助トレイ３２の上面とガラス板支持部１２とがほぼ同一平面を形成するようにして、図２０に示されるように、ガラス板支持部補助トレイ３２の上に見開きの状態の原稿１８の一部を載置する。
【００６３】
このように、本実施の形態においては、ガラス板支持部補助トレイ３２が画像読み取り装置本体１１に内蔵されている。そして、使用時にガラス板支持部補助トレイ３２を引き出して拡張し、上面がガラス板支持部１２とほぼ同一平面を形成するようにしたので、本のようにサイズが大きな原稿１８でも、無理なく載置することができ、オペレータは、手で原稿１８を支える必要がなく、簡単に原稿１８の画像を読み取らせる操作を行うことができる。また、原稿１８のサイズに合わせて、ガラス板支持部補助トレイ３２を引き出す長さを調節することができるので、原稿１８のサイズが大きな場合にも対応することができる。
【００６４】
さらに、本実施の形態を前記第１の実施の形態と組み合わせることもできる。この場合、ガラス板支持部補助トレイ３２を、画像読み取り装置本体１１におけるヒンジ部１５と反対側の側部に内蔵することが望ましい。これにより、画像読み取り装置本体１１において、ガラス板支持部カバー１３が１８０度開いて原稿１８を載置する面を形成する側と反対側にガラス板支持部補助トレイ３２を引き出して原稿１８を載置する面を形成することができるので、原稿１８のサイズがより大きな場合にも対応することができる。
【００６５】
なお、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の第１の実施の形態における画像読み取り装置の第１の例を示す第１の斜視図である。
【図２】本発明の第１の実施の形態における画像読み取り装置の第１の例を示す第２の斜視図である。
【図３】本発明の第１の実施の形態におけるヒンジ部のロック機構の構成を示す第１の図である。
【図４】本発明の第１の実施の形態におけるヒンジ部のロック機構の構成を示す第２の図である。
【図５】本発明の第１の実施の形態におけるヒンジ部のロック機構におけるカムの位置関係を示す図である。
【図６】本発明の第１の実施の形態における画像読み取り装置の第２の例を示す第１の斜視図である。
【図７】本発明の第１の実施の形態における画像読み取り装置の第２の例を示す第２の斜視図である。
【図８】本発明の第１の実施の形態における画像読み取り装置の第２の例を示す側面図である。
【図９】本発明の第１の実施の形態における画像読み取り装置の第３の例を示す斜視図である。
【図１０】本発明の第１の実施の形態における画像読み取り装置の第４の例を示す側面図である。
【図１１】本発明の第１の実施の形態における画像読み取り装置のガラス板支持部に冊子状の原稿を載置した状態を示す図である。
【図１２】本発明の第２の実施の形態における画像読み取り装置を示す斜視図である。
【図１３】本発明の第２の実施の形態における画像読み取り装置の動作を示す図である。
【図１４】本発明の第２の実施の形態における画像読み取り装置のガラス板支持部に冊子状の原稿を載置した状態を示す図である。
【図１５】本発明の第３の実施の形態における画像読み取り装置を示す斜視図である。
【図１６】本発明の第３の実施の形態における画像読み取り装置の動作を示す図である。
【図１７】本発明の第３の実施の形態における画像読み取り装置のガラス板支持部に冊子状の原稿を載置した状態を示す図である。
【図１８】本発明の第４の実施の形態における画像読み取り装置を示す斜視図である。
【図１９】本発明の第４の実施の形態における画像読み取り装置の動作を示す図である。
【図２０】本発明の第４の実施の形態における画像読み取り装置のガラス板支持部に冊子状の原稿を載置した状態を示す図である。
【符号の説明】
【００６７】
１０    画像読み取り装置
１１    画像読み取り装置本体
１３    ガラス板支持部カバー
１４    ガラス板支持部カバー支え部
１５    ヒンジ部
１８    原稿
２２    ガラス板支持部カバー移動レール
３１、３２    ガラス板支持部補助トレイ
【図１】
2006078516.tif 000003
【図２】
2006078516.tif 000004
【図３】
2006078516.tif 000005
【図４】
2006078516.tif 000006
【図５】
2006078516.tif 000007
【図６】
2006078516.tif 000008
【図７】
2006078516.tif 000009
【図８】
2006078516.tif 000010
【図９】
2006078516.tif 000011
【図１０】
2006078516.tif 000012
【図１１】
2006078516.tif 000013
【図１２】
2006078516.tif 000014
【図１３】
2006078516.tif 000015
【図１４】
2006078516.tif 000016
【図１５】
2006078516.tif 000017
【図１６】
2006078516.tif 000018
【図１７】
2006078516.tif 000019
【図１８】
2006078516.tif 000020
【図１９】
2006078516.tif 000021
【図２０】
2006078516.tif 000022